(57)【特許請求の範囲】
【請求項１】
ケースと、
前記ケース内に収容された電極組立体と、
前記ケースと前記電極組立体との間に配置された第１導電板と、
前記ケースと前記第１導電板との間に配置された第２導電板と、
前記第１導電板と前記第２導電板との間に配置された絶縁部材と、を備え、
前記電極組立体は、正極と、負極と、前記正極と前記負極との間に配置されたセパレータと、を備え、
前記第１導電板が、前記正極及び前記負極の一方と電気的に接続されており、
前記第２導電板が、前記正極及び前記負極の他方と電気的に接続されており、
前記第１導電板の剛性が、前記電極組立体の前記正極及び前記負極のうち前記第１導電板に最も近接する前記正極または前記負極の剛性よりも高く、かつ、前記第１導電板の剛性が前記第２導電板の剛性よりも高く、
前記ケースと前記第２導電板との間に配置された第３導電板と、
前記ケースと前記第３導電板との間に配置された第４導電板と、
前記第３導電板と前記第４導電板との間に配置された第２絶縁部材と、を更に備え、
前記第３導電板が、前記正極及び前記負極の一方と電気的に接続されており、
前記第４導電板が、前記正極及び前記負極の他方と電気的に接続されており、
前記第１導電板の剛性が、前記第２導電板の剛性、前記第３導電板の剛性、及び前記第４導電板の剛性のいずれよりも高い、蓄電装置。
【請求項２】
前記電極組立体の最も外側の層は前記負極であり、
前記第１導電板が、前記負極と電気的に接続されており、
前記第１導電板の剛性が、前記第１導電板に隣接する前記負極の剛性よりも高い、請求項１記載の蓄電装置。
【請求項３】
前記第１導電板の厚みが、前記第２導電板の厚み、前記第３導電板の厚み、及び前記第４導電板の厚みのいずれよりも大きい、請求項１または２記載の蓄電装置。
【請求項４】
前記第１導電板のヤング率が、前記第２導電板のヤング率、前記第３導電板のヤング率、及び前記第４導電板のヤング率のいずれよりも大きい、請求項１〜３のいずれか一項記載の蓄電装置。
【請求項５】
ケースと、
前記ケース内に収容された電極組立体と、
前記ケースと前記電極組立体との間に配置された第１導電板と、
前記ケースと前記第１導電板との間に配置された第２導電板と、
前記第１導電板と前記第２導電板との間に配置された絶縁部材と、を備え、
前記電極組立体は、正極と、負極と、前記正極と前記負極との間に配置されたセパレータと、を備え、
前記第１導電板が、前記正極及び前記負極の一方と電気的に接続されており、
前記第２導電板が、前記正極及び前記負極の他方と電気的に接続されており、
前記第１導電板の剛性が、前記電極組立体の前記正極及び前記負極のうち前記第１導電板に最も近接する前記正極または前記負極の剛性よりも高く、かつ、前記第１導電板の剛性が前記第２導電板の剛性よりも高く、
前記第１導電板はステンレス製である、蓄電装置。
【請求項６】
前記蓄電装置が二次電池である、請求項１〜５のいずれか一項記載の蓄電装置。
【発明の詳細な説明】
【技術分野】
【０００１】
本発明は、蓄電装置に関する。
【背景技術】
【０００２】
下記特許文献１，２に記載されるように、正極と負極とによって形成された電極組立体を備える蓄電装置が知られている。これらの蓄電装置において、電極組立体は、正極と負極とがセパレータを介して重ね合され、巻回されることにより形成されている。正極と負極のそれぞれは、金属箔の両面に活物質層が形成されて成る。特許文献１に記載の蓄電装置では、正極と負極の各金属箔を露出させた露出部分が巻回体の外周に設けられている。特許文献２に記載の蓄電装置では、正極と負極の各金属箔からなる導電材によって、電極組立体の外周が覆われている。
【０００３】
これらの蓄電装置では、蓄電装置を圧潰させる力が加わったり、蓄電装置に釘等が刺さったりした場合に、正極露出部分と負極露出部分との間、あるいは、正極導電材と負極導電材との間で短絡電流が流れる。このように、活物質層が形成されない導電体において短絡電流が流れるようにすることにより、蓄電装置の発熱が抑制される。
【先行技術文献】
【特許文献】
【０００４】
【特許文献１】特開平１１−２３３１４９号公報
【特許文献２】特開２００３−１４２０６８号公報
【発明の概要】
【発明が解決しようとする課題】
【０００５】
正極導電材と負極導電材との間に短絡電流を流すためには、圧潰が生じたとき又は釘が刺さったときに、正極導電材と負極導電材との間に配置された絶縁部材が破れることが必要である。上述した従来の蓄電装置では、圧潰が生じたとき又は釘が刺さったときに、絶縁部材が適切に破れずに、活物質層が形成された正極と負極との間で短絡電流が流れるおそれがある。その場合、いわゆる熱暴走が生じる可能性があり、安全性の面で問題がある。
【０００６】
本発明は、絶縁部材が確実に破れるようにし、安全性を向上させることができる蓄電装置を提供することを目的とする。
【課題を解決するための手段】
【０００７】
本発明の蓄電装置は、ケースと、ケース内に収容された電極組立体と、ケースと電極組立体との間に配置された第１導電板と、ケースと第１導電板との間に配置された第２導電板と、第１導電板と第２導電板との間に配置された絶縁部材と、を備え、電極組立体は、正極と、負極と、正極と負極との間に配置されたセパレータと、を備え、第１導電板が、正極及び負極の一方と電気的に接続されており、第２導電板が、正極及び負極の他方と電気的に接続されており、第１導電板の剛性が、電極組立体の正極及び負極のうち第１導電板に最も近接する正極または負極の剛性よりも高く、かつ、第１導電板の剛性が第２導電板の剛性よりも高く、ケースと第２導電板との間に配置された第３導電板と、ケースと第３導電板との間に配置された第４導電板と、第３導電板と第４導電板との間に配置された第２絶縁部材と、を更に備え、第３導電板が、正極及び負極の一方と電気的に接続されており、第４導電板が、正極及び負極の他方と電気的に接続されており、第１導電板の剛性が、第２導電板の剛性、第３導電板の剛性、及び第４導電板の剛性のいずれよりも高い。
【０００８】
この蓄電装置によれば、ケースの内側に第２導電板が配置され、第２導電板の内側に第１導電板が配置される。第２導電板と第１導電板との間には絶縁部材が配置される。ここで、第１導電板の剛性が、電極組立体の正極及び負極のうち第１導電板に最も近接する正極または負極の剛性よりも高いため、第１導電板よりも内側の部分すなわち電極組立体は、外部から加わる力に対して変形しにくい。また、第１導電板の剛性が第２導電板の剛性よりも高いため、第２導電板は、外部から加わる力に対して比較的変形しやすい。よって、圧潰が生じたとき又は釘が刺さったときに、第１導電板と第２導電板との間に配置された絶縁部材が破れやすい。したがって、この蓄電装置によれば、絶縁部材が確実に破れ、安全性を向上させることができる。さらに、正極及び負極にそれぞれ接続された２枚の導電板と、その間に配置された絶縁部材とによって形成される３層構造の短絡部が、複数設けられる。複数の短絡部のうち、電極組立体に最も近接する短絡部の第１導電板の剛性が、他の第２導電板、第３導電板、第４導電板の剛性よりも高められる。よって、第１導電板と第２導電板との間に配置された絶縁部材が確実に破れ、安全性を向上させることができる。
【０００９】
電極組立体の最も外側の層は負極であり、第１導電板が、負極と電気的に接続されており、第１導電板の剛性が、第１導電板に隣接する負極の剛性よりも高くてもよい。この場合、負極に接続された第１導電板の剛性が高められることにより、絶縁部材が確実に破れる。
【００１０】
第１導電板の厚みが、第２導電板の厚み、第３導電板の厚み、及び第４導電板の厚みのいずれよりも大きくてもよい。この場合、２枚の導電板と絶縁部材とによって形成される３層構造の短絡部が複数設けられる場合であっても、第１導電板の剛性を最も高くし易い。
【００１１】
第１導電板のヤング率が、第２導電板のヤング率、第３導電板のヤング率、及び第４導電板のヤング率のいずれよりも大きくてもよい。この場合、２枚の導電板と絶縁部材とによって形成される３層構造の短絡部が複数設けられる場合であっても、第１導電板の剛性を最も高くし易い。
【００１２】
本発明の蓄電装置は、ケースと、ケース内に収容された電極組立体と、ケースと電極組立体との間に配置された第１導電板と、ケースと第１導電板との間に配置された第２導電板と、第１導電板と第２導電板との間に配置された絶縁部材と、を備え、電極組立体は、正極と、負極と、正極と負極との間に配置されたセパレータと、を備え、第１導電板が、正極及び負極の一方と電気的に接続されており、第２導電板が、正極及び負極の他方と電気的に接続されており、第１導電板の剛性が、電極組立体の正極及び負極のうち第１導電板に最も近接する正極または負極の剛性よりも高く、かつ、第１導電板の剛性が第２導電板の剛性よりも高く、第１導電板はステンレス製である。
【００１６】
蓄電装置が二次電池であってもよい。この場合、二次電池において、圧潰または釘刺し時の安全性を向上させることができる。
【発明の効果】
【００１７】
本発明によれば、絶縁部材が確実に破れるようにし、安全性を向上させることができる。
【図面の簡単な説明】
【００１８】
【図１】本発明の第１実施形態に係る蓄電装置を模式的に示す断面図である。
【図２】図１のＩＩ−ＩＩ線に沿った断面図である。
【図３】図１の蓄電装置において外力が加わった場合の短絡状態を示す断面図である。
【図４】第２実施形態に係る蓄電装置を示す断面図である。
【図５】第３実施形態に係る蓄電装置を示す断面図である。
【発明を実施するための形態】
【００１９】
以下、本発明の実施形態について、図面を参照しながら説明する。なお、図面の説明において同一要素には同一符号を付し、重複する説明は省略する。
【００２０】
図１は、本発明の第１実施形態に係る蓄電装置を模式的に示す断面図である。図２は、図１のＩＩ−ＩＩ線に沿った断面図である。図１及び図２に示される蓄電装置としての二次電池１００は、例えばリチウムイオン二次電池等の非水電解質二次電池である。
【００２１】
二次電池１００は、ケース１０と、ケース１０内に収容された電極組立体２０とを備える。ケース１０は例えばアルミニウム等の金属からなってもよい。電極組立体２０は、正極３０と、負極４０と、正極３０と負極４０との間に配置されたセパレータ５０とを備える。正極３０、負極４０は、例えばシート状である。セパレータ５０は、例えばシート状であるが、袋状であってもよい。複数の正極３０及び複数の負極４０が、セパレータ５０を介して交互に積層されている。セパレータ５０が袋状である場合には、セパレータ５０内に、例えば正極３０が収容される。ケース１０内には電解液６０が充填され得る。電解液６０としては、例えば有機溶媒系又は非水系の電解液等が挙げられる。ケース１０の内壁面上には、絶縁フィルム１１が配置される。
【００２２】
正極３０は、金属箔３０ｂと、金属箔３０ｂの両面に設けられた正極活物質層３０ｃとを備え得る。金属箔３０ｂは例えばアルミニウム箔である。正極活物質層３０ｃは、正極活物質とバインダとを含んでもよい。正極活物質としては、例えば複合酸化物、金属リチウム、硫黄等が挙げられる。複合酸化物は、マンガン、ニッケル、コバルト及びアルミニウムの少なくとも１つとリチウムとを含む。
【００２３】
正極３０は、縁に形成されたタブ３０ａを有してもよい。タブ３０ａには、正極活物質が担持されていない。正極３０は、タブ３０ａを介して導電部材３２に接続され得る。導電部材３２は、正極端子３４に接続され得る。正極端子３４は、絶縁リング３６を介してケース１０に取り付けられてもよい。
【００２４】
負極４０は、金属箔４０ｂと、金属箔４０ｂの両面に設けられた負極活物質層４０ｃとを備え得る。金属箔４０ｂは例えば銅箔である。負極活物質層４０ｃは、負極活物質とバインダとを含んでもよい。負極活物質としては、例えば黒鉛、高配向性グラファイト、メソカーボンマイクロビーズ、ハードカーボン、ソフトカーボン等のカーボン、リチウム、ナトリウム等のアルカリ金属、金属化合物、ＳｉＯｘ（０．５≦ｘ≦１．５）等の金属酸化物、ホウ素添加炭素等が挙げられる。
【００２５】
負極４０は、縁に形成されたタブ４０ａを有してもよい。タブ４０ａには、負極活物質が担持されていない。負極４０は、タブ４０ａを介して導電部材４２に接続され得る。導電部材４２は、負極端子４４に接続され得る。負極端子４４は、絶縁リング４６を介してケース１０に取り付けられてもよい。
【００２６】
セパレータ５０としては、ポリエチレン（ＰＥ）、ポリプロピレン（ＰＰ）等のポリオレフィン系樹脂からなる多孔質フィルム、ポリプロピレン、ポリエチレンテレフタレート（ＰＥＴ）、メチルセルロース等からなる織布又は不織布等が例示される。
【００２７】
ケース１０と電極組立体２０との間には、第１導電板１４が配置される。第１導電板１４は、例えば単一の板状部材からなるが、積層された複数の金属箔からなってもよい。第１導電板１４には、活物質層が設けられていない。第１導電板１４は、安全対策用の未塗工電極である。
【００２８】
ケース１０と第１導電板１４との間には、第２導電板１６が配置される。第２導電板１６は、例えば単一の板状部材からなるが、積層された複数の金属箔からなってもよい。第２導電板１６には、活物質層が設けられていない。第２導電板１６は、安全対策用の未塗工電極である。
【００２９】
第１導電板１４と第２導電板１６との間には、絶縁部材１８が配置される。絶縁部材１８は、絶縁シート又は絶縁層であってもよい。絶縁部材１８としては、例えば樹脂シート、樹脂層、又はセパレータ５０が用いられてもよい。
【００３０】
第１導電板１４は、正極３０及び負極４０の一方と電気的に接続される。第２導電板１６は、正極３０及び負極４０の他方と電気的に接続される。二次電池１００では、第１導電板１４が、電極組立体２０における最も外側の層を構成する負極４０と電気的に接続され、第２導電板１６が正極３０と電気的に接続される。この場合、例えば、第１導電板１４は銅からなり、第２導電板１６はアルミニウムからなる。
【００３１】
第１導電板１４は、縁に形成されたタブ１４ｄを有してもよい。タブ１４ｄは、負極４０のタブ４０ａに接続され得る。タブ１４ｄの厚みは、第１導電板１４における他の部分の厚みに比べて薄くてもよい。タブ１４ｄはタブ４０ａと重なるように配置され得る。第２導電板１６は、縁に形成されたタブ１６ｄを有してもよい。タブ１６ｄは、正極３０のタブ３０ａに接続され得る。タブ１６ｄの厚みは、第２導電板１６における他の部分の厚みに比べて薄くてもよい。タブ１６ｄはタブ３０ａと重なるように配置され得る。
【００３２】
上述したとおり、ケース１０内には、ケース１０の内方に向かうにしたがって、第２導電板１６、絶縁部材１８、第１導電板１４、及び電極組立体２０が、この順に積層されている。第１導電板１４には、電極組立体２０のうち最外層に配置された負極４０が隣接している。第２導電板１６、絶縁部材１８、及び第１導電板１４は、電極組立体２０の積層方向における他方の端部（不図示）においても、同様に設けられる。一方に配置された第２導電板１６、絶縁部材１８、及び第１導電板１４と、他方に配置された第２導電板１６、絶縁部材１８、及び第１導電板１４とは、電極組立体２０の積層方向に垂直な面に関して面対称をなしている。なお、第２導電板１６、絶縁部材１８、及び第１導電板１４は、電極組立体２０の積層方向における一方のみに設けられてもよい。
【００３３】
電極組立体２０では、ケース１０の内方に向けて、負極４０、セパレータ５０、及び正極３０がこの順に配置されるが、正極３０、セパレータ５０、及び負極４０がこの順に配置されてもよい。電極組立体２０の最外層に正極３０が配置される場合、正極３０と第１導電板１４との間には絶縁部材１８またはセパレータ５０が配置される。
【００３４】
また、第１導電板１４が正極３０と電気的に接続され、第２導電板１６が負極４０と電気的に接続されてもよい。この場合、例えば、第１導電板１４はアルミニウムからなり、第２導電板１６は銅からなる。電極組立体２０の最外層に正極３０が配置される場合、第１導電板１４には正極３０が隣接する。電極組立体２０の最外層に負極４０が配置される場合、負極４０と第１導電板１４との間には絶縁部材１８またはセパレータ５０が配置される。
【００３５】
二次電池１００では、第１導電板１４の剛性が、電極組立体２０に隣接する負極４０の剛性よりも高い。すなわち、第１導電板１４の剛性が、電極組立体２０の正極３０及び負極４０のうち第１導電板１４に最も近接する正極３０または負極４０（二次電池１００の場合、負極４０）の剛性よりも高い。さらに、第１導電板１４の剛性が、第２導電板１６の剛性よりも高い。
【００３６】
第１導電板１４の厚みは、負極４０の金属箔４０ｂの厚みよりも大きくてもよい。第１導電板１４の厚みは、負極活物質層４０ｃ，４０ｃを含む負極４０の厚みよりも大きくてもよい。第１導電板１４の厚みは、第２導電板１６の厚みよりも大きくてもよい。第２導電板１６の厚みは、正極３０の金属箔３０ｂの厚みよりも大きくてもよい。第２導電板１６の厚みは、正極活物質層３０ｃ，３０ｃを含む正極３０の厚みよりも大きくてもよい。
【００３７】
第１導電板１４のヤング率は、負極４０の金属箔４０ｂのヤング率よりも大きくてもよい。第１導電板１４のヤング率は、第２導電板１６のヤング率よりも大きくてもよい。
【００３８】
ここで、「剛性」は、同じ曲げ応力が加えられたときの曲がり具合（変形の度合い）によって決まる。例えば、剛性が高いということは、ある曲げ応力が加えられたときの曲がり具合が小さいことを意味する。言い換えれば、同じ材質からなり、同じ断面積を有する板材においては、大きい厚みを有する板材ほど、高い剛性を有する。材質が同じである場合、剛性は厚みに比例する。
【００３９】
以上説明した構成を有する二次電池１００によれば、ケース１０の内側に第２導電板１６が配置され、第２導電板１６の内側に第１導電板１４が配置される。第２導電板１６と第１導電板１４との間には絶縁部材１８が配置される。ここで、第１導電板１４の剛性が、電極組立体２０の正極３０及び負極４０のうち第１導電板１４に最も近接する正極３０または負極４０（二次電池１００の場合、負極４０）の剛性よりも高いため、第１導電板１４よりも内側の部分すなわち電極組立体２０は、外部から加わる力に対して変形しにくい。また、第１導電板１４の剛性が第２導電板１６の剛性よりも高いため、第２導電板１６は、外部から加わる力に対して比較的変形しやすい。よって、図３に示されるように、押圧部材１１０によって二次電池１００が押圧され、圧潰が生じたとき（又は釘が刺さったとき）、第１導電板１４と第２導電板１６との間に配置された絶縁部材１８が破れやすい。言い換えれば、絶縁部材１８に迅速に孔が形成される。したがって、二次電池１００によれば、絶縁部材１８が確実かつ迅速に破れ、第１導電板１４と第２導電板１６との間に短絡電流が流れるため、安全性を向上させることができる。また、高い剛性を有する第１導電板１４によって、電極組立体２０における短絡を遅らせることができる。つまり、第１導電板１４と第２導電板１６との間の短絡が開始してから、電極組立体２０における短絡が開始するまでの時間が長くなる。
【００４０】
このように、二次電池１００では、高い剛性を有する第１導電板１４が設けられたことにより、セルが二重構造を有する。二重構造の外側は、二重構造の内側よりも変形し易い。二重構造の内側は、変形し難い。これにより、変形し易い外側の絶縁部材１８が先に破れる。
【００４１】
また、電極組立体２０における最も外側の層は負極４０であり、負極４０は第１導電板１４に隣接する。負極４０に接続された第１導電板１４の剛性が高められることにより、絶縁部材１８が確実に破れ、電極組立体２０における短絡を遅らせることができる。
【００４２】
また、第１導電板１４の厚みが第２導電板１６の厚みよりも大きいため、第１導電板１４の剛性を高くし易い。
【００４３】
また、ヤング率が大きい物質ほど、高い剛性を有する。第１導電板１４のヤング率が第２導電板１６のヤング率よりも大きいため、第１導電板１４の剛性を高くし易い。
【００４４】
上述したように、二次電池１００において、圧潰または釘刺し時の安全性が向上されている。
【００４５】
図４を参照して、第２実施形態に係る二次電池１００Ａについて説明する。図４に示される二次電池１００Ａが図２に示される第１実施形態の二次電池１００と違う点は、正極３０及び負極４０にそれぞれ接続された２枚の導電板と、その間に配置された絶縁部材１８とによって形成される３層構造の短絡部が、２層設けられた点である。
【００４６】
図４に示されるように、ケース１０と電極組立体２０との間には、第１短絡部７１が形成されている。ケース１０と第１短絡部７１との間には、第２短絡部７２が形成されている。第１短絡部７１と第２短絡部７２との間には、絶縁部材１８又はセパレータ５０と同じ材料からなる絶縁部材７３が配置されている。
【００４７】
第１短絡部７１は、ケース１０と電極組立体２０との間に配置された第１導電板１４Ａと、ケース１０と第１導電板１４Ａとの間に配置された第２導電板１６Ａと、第１導電板１４Ａと第２導電板１６Ａとの間に配置された絶縁部材１８Ａとを備える。第２短絡部７２は、ケース１０と第２導電板１６Ａとの間に配置された第３導電板２４と、ケース１０と第３導電板２４との間に配置された第４導電板２６と、第３導電板２４と第４導電板２６との間に配置された絶縁部材（第２絶縁部材）２８とを備える。
【００４８】
第１導電板１４Ａ、第２導電板１６Ａ、及び絶縁部材１８Ａは、それぞれ、第１導電板１４、第２導電板１６、及び絶縁部材１８と同じ材料からなる。第３導電板２４、第４導電板２６、及び絶縁部材２８は、それぞれ、第１導電板１４、第２導電板１６、及び絶縁部材１８と同じ材料からなる。
【００４９】
第１導電板１４Ａは、正極３０及び負極４０の一方と電気的に接続される。第２導電板１６Ａは、正極３０及び負極４０の他方と電気的に接続される。二次電池１００Ａでは、第１導電板１４Ａが負極４０と電気的に接続され、第２導電板１６Ａが正極３０と電気的に接続される。第３導電板２４は、正極３０及び負極４０の一方と電気的に接続される。第４導電板２６は、正極３０及び負極４０の他方と電気的に接続される。二次電池１００Ａでは、第３導電板２４が負極４０と電気的に接続され、第４導電板２６が正極３０と電気的に接続される。
【００５０】
二次電池１００Ａでは、第１導電板１４Ａの剛性が、電極組立体２０に隣接する負極４０の剛性よりも高い。すなわち、第１導電板１４Ａの剛性が、電極組立体２０の正極３０及び負極４０のうち第１導電板１４に最も近接する正極３０または負極４０（二次電池１００Ａの場合、負極４０）の剛性よりも高い。さらに、第１導電板１４Ａの剛性が、第２導電板１６Ａの剛性よりも高い。第１導電板１４Ａの剛性が、第２導電板１６Ａの剛性、第３導電板２４の剛性、及び第４導電板２６の剛性のいずれよりも高い。
【００５１】
第１導電板１４Ａの厚みは、第２導電板１６Ａの厚みよりも大きくてもよい。第１導電板１４Ａの厚みが、第２導電板１６Ａの厚み、第３導電板２４の厚み、及び第４導電板２６の厚みのいずれよりも大きくてもよい。第１導電板１４Ａのヤング率は、第２導電板１６Ａのヤング率よりも大きくてもよい。第１導電板１４Ａのヤング率が、第２導電板１６Ａのヤング率、第３導電板２４のヤング率、及び第４導電板２６のヤング率のいずれよりも大きくてもよい。
【００５２】
二次電池１００Ａによれば、二次電池１００と同様の作用効果が奏される。すなわち、絶縁部材１８Ａが確実かつ迅速に破れ、安全性を向上させることができる。また、高い剛性を有する第１導電板１４Ａによって、電極組立体２０における短絡を遅らせることができる。
【００５３】
複数の短絡部７１，７２のうち、電極組立体２０に最も近接する第１短絡部７１の第１導電板１４Ａの剛性が、他の第２導電板１６Ａ、第３導電板２４、第４導電板２６の剛性よりも高められる。よって、第１導電板１４Ａと第２導電板１６Ａとの間に配置された第２導電板１６Ａが確実に破れ、安全性を向上させることができる。
【００５４】
また、第１導電板１４Ａの厚みが、第２導電板１６Ａの厚み、第３導電板２４の厚み、及び第４導電板２６の厚みのいずれよりも大きいため、２層の短絡部７１，７２が設けられる場合であっても、第１導電板１４Ａの剛性を最も高くし易い。
【００５５】
また、第１導電板１４Ａのヤング率が、第２導電板１６Ａのヤング率、第３導電板２４のヤング率、及び第４導電板２６のヤング率のいずれよりも大きいため、２層の短絡部７１，７２が設けられる場合であっても、第１導電板１４Ａの剛性を最も高くし易い。
【００５６】
図５を参照して、第３実施形態に係る二次電池１００Ｂについて説明する。図５に示される二次電池１００Ｂが図４に示される第１実施形態の二次電池１００Ａと違う点は、第１導電板１４Ａを有する第１短絡部７１に代えて、ステンレス製の第１導電板１４Ｂを有する第１短絡部７１Ｂを備えた点である。
【００５７】
二次電池１００Ｂでは、第１導電板１４Ｂの剛性が、電極組立体２０に隣接する負極４０の剛性よりも高い。すなわち、第１導電板１４Ｂの剛性が、電極組立体２０の正極３０及び負極４０のうち第１導電板１４に最も近接する正極３０または負極４０（二次電池１００Ｂの場合、負極４０）の剛性よりも高い。さらに、第１導電板１４Ｂの剛性が、第２導電板１６Ａの剛性よりも高い。第１導電板１４Ｂの剛性が、第２導電板１６Ａの剛性、第３導電板２４の剛性、及び第４導電板２６の剛性のいずれよりも高い。
【００５８】
第１導電板１４Ｂの厚みは、第２導電板１６Ａの厚みよりも大きくてもよい。第１導電板１４Ｂの厚みが、第２導電板１６Ａの厚み、第３導電板２４の厚み、及び第４導電板２６の厚みのいずれよりも大きくてもよい。第１導電板１４Ｂの厚みが、第２導電板１６Ａの厚み、第３導電板２４の厚み、及び第４導電板２６の厚みと同じ又はそれらの厚みより小さくてもよい。第１導電板１４Ｂのヤング率は、第２導電板１６Ａのヤング率よりも大きくてもよい。第１導電板１４Ｂのヤング率が、第２導電板１６Ａのヤング率、第３導電板２４のヤング率、及び第４導電板２６のヤング率のいずれよりも大きくてもよい。
【００５９】
二次電池１００Ｂによれば、二次電池１００，１００Ａと同様の作用効果が奏される。すなわち、絶縁部材１８Ａが確実かつ迅速に破れ、安全性を向上させることができる。また、高い剛性を有する第１導電板１４Ｂによって、電極組立体２０における短絡を遅らせることができる。
【００６０】
第２導電板１６Ａ、第３導電板２４、第４導電板２６としては、電極３０，４０に用いられる金属箔３０ｂ，４０ｂと同じ材質が用いられる。ステンレスは、電極３０，４０に用いられる金属箔３０ｂ，４０ｂよりもヤング率が高く、よって高い剛性を有する。第１導電板１４Ｂがステンレス製であることにより、第１導電板１４Ｂよりも外側（ケース１０側）の部分は変形しやすい。したがって、絶縁部材１８Ａをより確実に破ることができる。
【００６１】
以上、本発明の実施形態について説明したが、本発明は上記実施形態に限られるものではない。例えば、積層型の電極組立体２０に代えて巻回型の電極組立体が用いられてもよい。巻回型の電極組立体は、帯状の正極３０、負極４０及びセパレータ５０を軸線の周りに巻回することによって作製される。
また、電極組立体２０は、最外層を構成する電極の外側に、絶縁フィルムが配置されてもよい。
【００６２】
蓄電装置として、二次電池１００の他に、例えば電気二重層キャパシタ等が挙げられる。
【００６３】
例えば二次電池１００等の蓄電装置は、車両に搭載されてもよい。車両としては、例えば、電気自動車、ハイブリッド自動車、プラグインハイブリッド自動車、ハイブリッド鉄道車両、電気車椅子、電動アシスト自転車、電動二輪車等が挙げられる。
【符号の説明】
【００６４】
１０…ケース、１４，１４Ａ，１４Ｂ…第１導電板、１６，１６Ａ…第２導電板、１８，１８Ａ…絶縁部材、２０…電極組立体、２４…第３導電板、２６…第４導電板、２８…絶縁部材（第２絶縁部材）、３０…正極、４０…負極、５０…セパレータ、１００，１００Ａ，１００Ｂ…二次電池。
【図１】
0005590110.tif 000002
【図２】
0005590110.tif 000003
【図３】
0005590110.tif 000004
【図４】
0005590110.tif 000005
【図５】
0005590110.tif 000006